(57)【要約】【課題】本発明は、光学素子（１２、１３、１６）から構成される光学通路装置（１）と、レンズホルダ（２）に設置されたフォーカシングレンズ（３）と、レンズホルダ（２）用のサスペンション（５）とを有する、光記録媒体の読取り及び／又は書き込みのためのデバイスに関する。このタイプのデバイスを改良することが本発明の目的である。【解決手段】レンズホルダ（２）のサスペンション（５）は、第一の支持面（７）を有する基体（６）上に固定設置される構造が提供されていて、その第一の支持面上には、第二の支持面（８）を用いて光学通路装置（１）が取り付けられている。【選択図】図１
2007533058.tif 000002
【特許請求の範囲】
【請求項１】
光学素子（１２、１３、１６）から構成される光学通路装置（１）と、レンズホルダ（２）に設置されたフォーカシングレンズ（３）と、レンズホルダ（２）用のサスペンション（５）とを有する、光記録媒体の読取り及び／又は書き込みのためのデバイスにおいて、
前記レンズホルダ（２）用のサスペンション（５）が、第一の支持面（７）を有する基体（６）上に固定設置され、その第一の支持面上に、第二の支持面（８）を用いて前記光学通路装置（１）が取り付けられているデバイス。
【請求項２】
前記支持面（７、８）が球状面である、請求項１に記載のデバイス。
【請求項３】
前記光学通路装置（１）が、前記フォーカシングレンズ以外の、前記デバイスの前記スキャナの前記光学素子のすべてを有する、請求項１又は２に記載のデバイス。
【請求項４】
前記光学通路装置（１）が基体（６）に接続された位置調整面（１０、１０’）を有する、請求項１から３のいずれか１項に記載のデバイス。
【請求項５】
前記光学通路装置（１）がハウジング（９）に設置されている、請求項１から４のいずれか１項に記載のデバイス。
【請求項６】
前記基体（６）が、前記デバイスのマグネットホルダ（２２、２２’）、サスペンションワイヤホルダ（２０）、ガイドフォーク（１７）、ガイドブッシュ（１４）の一つ以上により一体化されている、請求項１から５のいずれか１項に記載のデバイス。
【発明の詳細な説明】
【技術分野】
【０００１】
本発明は、例えばＣＤやＤＶＤといった光記録媒体の読取り及び／又は書き込みのためのデバイスに関する。このデバイスは、レーザダイオード、ビームスプリッタ、レンズ、ディテクタ等の光学素子から構成される光学通路装置と、レンズホルダに設置されたフォーカシングレンズと、レンズホルダ用の可動サスペンションとを有する。このタイプのデバイスの場合、サスペンションが、光学通路装置に固定接続されたベースプレートに対して調整可能な方法でもうけられる。
【背景技術】
【０００２】
光記録媒体の読取りのためのデバイスは、例えば、特許文献１、特許文献２、特許文献３、特許文献４に開示されている。それら周知なデバイスすべてにおいて、レンズホルダ用のサスペンションを具備したアクチュエータはベースプレートに対して調整される。一方、光学通路装置はベースプレートに固定接続される。
【０００３】
【特許文献１】欧州特許出願公開第１２０５９２０号明細書
【特許文献２】欧州特許出願公開第１１６０７８０号明細書
【特許文献３】欧州特許出願公開第０６４９１３０号明細書
【特許文献４】欧州特許出願公開第０３４１９３６号明細書
【発明の開示】
【発明が解決しようとする課題】
【０００４】
このタイプのデバイスを改良することが本発明の目的である。
【課題を解決するための手段】
【０００５】
本発明によれば、この目的のために、レンズホルダのサスペンションが、第一の支持面を有する基体上に固定設置される構造が提供されていて、その基体には、第二の支持面を用いて光学通路装置が置かれている。このことは、光学通路装置が基体に対して位置調整可能であるという利点を有する。光学通路装置のみに高い精度が要求されるため、この設置方法では、高品質な材料が基体やサスペンションに使用されるのは、従来よりも少ない。このように、本発明に係るデバイスは、より費用効率よく生産することができる。サスペンション個々の取り付け及びそのテストはもはや必要とされず、さらに生産を簡略化する。
【０００６】
本発明は、球状面である支持面を備える。このことは、位置調整に必要な程度の自由を与え、それでもなお、２つの部品（光学通路装置と基体）が相互に固定された際、それらの相対位置にできるだけ振動がないように保つ広い接触面を可能とする。接触面には、例えば、固定のために接着剤が用いられることも好ましい。この場合、球状面は、同じ半径か、又はお互いにわずかしか違わない半径であることが好ましい。同一の半径であることが計測上対処しやすく、よって有利である。半径がわずかに違っている場合、面状の支持よりはむしろ線状又は点状の支持のみが発生する。三点や、ボール、点や多点のハイブリッド型といった他の支持方法が可能なことも好ましい。満たされなければならないたった一つの条件は、回転／旋回できる支持であることである。
【０００７】
好ましい方法としては、光学通路装置が、フォーカシングレンズは別として、本発明によるデバイスのスキャナの光学素子のすべてを有する。このことは、高精度な材料の使用及び光学的に正確に位置調整された取り付けを必要とするのが光学通路装置のみである、という利点を有する。正確な位置調整を必要とする光学素子が小さな空間に一体化しているので、それらがより高い品質要求のもとで別の生産工程により生産されることも好ましい。その次に必要なのは、基体上に正確に位置調整されることだけである。
【０００８】
光学通路装置は、取り付け時に位置調整を行う位置調整具が作用する３つの位置調整面を有するのが好ましい。位置調整面又はその面を構成する光学素子は基体に、具体的には接着によって接続される。このことは、位置調整が簡単という利点を有し、同時に、光学通路装置を基体に固定する接着接続を可能にする。
【０００９】
光学通路装置がハウジング内に設置されていることも好ましい。このことが、機械の保護とほこりからの保護を可能とし、レーザ光が外に出るのを又は周囲の光の影響を受けるのを防ぐ。
【００１０】
本発明は、基体が、マグネットホルダ、サスペンションワイヤホルダ、デバイスのガイドフォーク及びガイドブッシュといった構成要素の一つ以上と、一つの部品として一体化されているものを提供する。このことは、これまでほとんどが別々であったそれらの部品が一つに一体化され、よって、それらの取り付けを不要にし、製造時には、それらが既に互いに関連して正確に位置決めされている、という利点を有する。
【００１１】
本発明のさらなる利点は、典型的な実施例に関する以下の記載から収集することができる。
【発明を実施するための最良の形態】
【００１２】
図１は、本発明によるデバイスの光学通路装置１及びレンズホルダ２を断面図で示す。フォーカシングレンズ３がレンズホルダ２に設置されている。レンズホルダ２は４本のサスペンションワイヤ４によって（図示されていない）サスペンション５に接続されている。そのサスペンションは基体６に固定接続されている。基体６は球状支持面７を有し、それは光学通路装置のハウジング９の同様な球状支持面８と接触する。さらに位置調整面１０のうちの一つを見ることができるが、その位置調整面は、取り付け時に接着によってその部分だけが基体６に接続されうる位置調整突起部１１に配置されている。同断面図から、別の光学素子として半透明鏡１２及びフォトディテクタ１３を認識することができる。支持面７及び８は、光学通路装置１を基体６に対して、つまり基体６に固定接続されているフォーカシングレンズ３に対して位置調整を可能にする。さらに、ガイドブッシュ１４及び同図に記載されていない他の光学素子は基体６に一つの部品として一体化されている。
【００１３】
図２は、本発明によるデバイスの光学通路装置１及び基体６を三次元図で示す。この場合、デバイスの光学スキャナ１５を構成する光学素子が、（図示されていない）光記録媒体が光学スキャナ１５の下に記載されなければならないように、図中に記載されている。ハウジング９上に、フォトディテクタ１３、レーザダイオード１６や位置調整面１０を有する位置調整突起部１１のうちの１つを認識することができる。２つの別の位置調整突起部は認識できないか又は部分的にのみ認識できる。別の位置調整面１０’は一つだけ隠れていない。半透明鏡１２の位置も確認することができ、その位置に、代替物として、偏光ビームスプリッタ又は無偏光ビームスプリッタを配置する可能性もある。基体６上に、ガイドブッシュ１４及びガイドフォーク１７を認識することができる。ガイドブッシュ１４は、ここには記載されていないガイドロッドに沿って移動し、一方、ガイドフォーク１７は、例えば、ガイドロッド又はガイド板のような別の適したガイド要素を囲んではめ込む。よって、光学スキャナ１５は、双方向矢印１８の方向に移動可能に設置される。歯付ラック１９は、この場合、同じく基体６に一体化されており、駆動の目的のために動作する。さらに、基体６の下に位置するサスペンション５が底部右側に認識できる。また、サスペンションワイヤホルダ２０の一部だけを見ることができ、そこにはサスペンションワイヤ４が固定されている。
【００１４】
図３は、図２と同じ視点の光学通路装置１及び基体６の分解図を示す。同じ部品には同じ参照記号が付けられており、必要な範囲のみ説明がなされる。ハウジング９上に、付随する位置調整面１０、１０’を有する２つの位置調整突起部１１、１１’をこの図では認識することができる。第１の支持面７を基体６上に見ることができる。基体の球状屈曲部と、光学通路装置から来るスキャニングビームが（図示されていない）フォーカシングレンズ３に向かって通過する中央開口部とを認識することができる。
【００１５】
図４は、図３と同じ分解図を示しているが、反対方向からのものである。この図では、基体６上にサスペンションワイヤホルダ２０と、レンズホルダ２内に設置されたフォーカシングレンズ３とを明瞭に見ることができる。レンズホルダ２は、サスペンションワイヤ４を用いてサスペンションワイヤホルダ２０に接続されている。これらはレンズホルダ２のサスペンションを形成している。マグネットホルダ２２、２２’に保持されたマグネット２１、２１’は、レンズホルダ２の両側に配置されている。このマグネットホルダは、基体６に一体となって接続されている。光学通路装置１上には、窪んだ球面状凹部である第２の支持面８を認識できる。
【００１６】
従来の光学式ドライブでは、通常、フォーカシングレンズ３は光学通路装置１に従って方向づけされる。フォーカシングレンズ３は、とりわけ、マグネット２１及び２１’、マグネットホルダ２２及び２２’、レンズホルダ２、サスペンションワイヤ４及びサスペンション５を含むアクチュエータの一部分である。それゆえ、この方向づけはアクチュエータの旋回の影響を受ける。しかしながら、この解決法は部品を減らすことによるコスト削減を達成する可能性はほとんどない。従来、光学通路装置はガイドブッシュ１４も含むため、常にアクチュエータを位置調整する必要がある。さらに、光学通路装置は、従来、基体６に固定接続されるものなので、たとえある部分のみが高い精度を要求したとしても、光学通路装置が高品質の材料で製造される必要がある。
【００１７】
光学通路装置１を実際に必要なだけの大きさに都合よく縮小したことによって、本発明はフォーカシングレンズ３に対して光学通路装置１を旋回することが可能である。残りの部分はより安い材料で製造され、例えばサスペンションワイヤホルダ２０のような部品は、集積されうる。そして、他のものは、例えばアクチュエータプレートのように取り除かれる。それゆえ、本発明によって費用効率が高い解決法が得られる。
【００１８】
言い換えれば、本発明の意図は、光学通路装置１に対するフォーカシングレンズ３の調整を、フォーカシングレンズ３に対する光学通路装置１の調整に置き換えることにある。光学通路装置１は、要求される精度を達成するため、例えば亜鉛ダイカスト又は高性能プラスチックで一体化された、さらに小さく分離するハウジング９に収容される。そして、ガイドブッシュ１４を含む残りの部分は、より費用効率が高い材料で製造される。マグネットホルダ２２やサスペンションワイヤホルダといった部品は集積化される。
【００１９】
光学通路装置１がさらに小さく分離したハウジング９に分離して収容されるため、モジュール構造とすることも可能である。
【００２０】
本発明は費用効率の高い解決法を構成する。高価な材料はそれが本当に必要な場所にのみ使用される。多くの部品の機能は、より費用効率の高い材料で製造された基体６に付随する形で統合される。
【図面の簡単な説明】
【００２１】
【図１】本発明による光学通路装置及びレンズホルダを断面図で示す図である。
【図２】本発明による光学通路装置及び基体を三次元図で示す図である。
【図３】光学通路装置及び基体を組立図で示す図である。
【図４】光学通路装置及び基体を組立図で示す図である。
【符号の説明】
【００２２】
１  光学通路装置
２  レンズホルダ
３  フォーカシングレンズ
４  サスペンションワイヤ
５  サスペンション
６  基体
７、８  支持面
９  ハウジング
１０、１０’  位置調整面
１１、１１’  位置調整突起部
１２  半透明鏡
１３  フォトディテクタ
１４  ガイドブッシュ
１５  光学スキャナ
１６  レーザダイオード
１７  ガイドフォーク
１８  双方向矢印
１９  歯付ラック
２０  サスペンションワイヤホルダ
２１、２１’  マグネット
２２、２２’  マグネットホルダ
【図１】
2007533058.tif 000003
【図２】
2007533058.tif 000004
【図３】
2007533058.tif 000005
【図４】
2007533058.tif 000006
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
フォーカシングレンズ（３）以外の、デバイスのスキャナ（１５）の光学素子（１２、１３、１６）のすべてを有する光学通路装置（１）と、レンズホルダ（２）に設置されたフォーカシングレンズ（３）と、レンズホルダ（２）用のサスペンション（５）と、歯付ラック（１９）と、前記デバイスのガイド手段（１４、１７）の一つ以上により一体化されており、前記基体（６）は第一の支持面（７）を備える、光記録媒体の読取り及び／又は書き込みのためのデバイスであって、
前記レンズホルダ（２）の前記サスペンション（５）が前記基体（６）上に固定設置され、その基体には第二の支持面（８）を用いて光学通路装置（１）が取り付けられており、前記光学通路装置（１）が前記基体（６）に対して位置調整可能な部品として設置されるデバイス。
【請求項２】
前記支持面（７、８）が球状面である、請求項１に記載のデバイス。
【請求項３】
前記光学通路装置（１）が基体（６）に接続された位置調整面（１０、１０’）を有する、請求項１又は２に記載のデバイス。
【請求項４】
前記光学通路装置（１）がハウジング（９）に設置されている、請求項１から３のいずれか１項に記載のデバイス。
【請求項５】
前記基体（６）が、マグネットホルダ（２２、２２’）、サスペンションワイヤホルダ（２０）、前記デバイスのガイドフォーク（１７）及びガイドブッシュ（１４）の一つ以上により、一体化されている、請求項１から４のいずれか１項に記載のデバイス。
【国際調査報告】
2007533058.tif 000007
2007533058.tif 000008